(57)【要約】【課題】自動で原稿画像サイズを検知することの出来ない画像形成装置において、スキャン時にどのように画像が読み込まれるかは、画像形成装置ごとによって異なる。そのため、ユーザーが事前に読み込まれる画像を把握することは困難である。更に、原稿画像の表裏で読み込み画像向きが異なっている場合の出力画像位置において、両面出力時の表裏や片面印刷時の前後のページで画像の印字位置にずれが生じる可能性がある。【解決手段】自動で原稿画像サイズを検知することの出来ない画像形成装置において、ユーザーが任意に設定した応用機能の情報をもとに、所定の条件を満たした場合には原稿画像のスキャン処理方法を切り替えることにより出力画像における印字位置のずれを防止する。【選択図】  図７
2015023527.tif 000002
【特許請求の範囲】
【請求項１】
ユーザーからの指示を伝える操作部(0106、0107)と、
所定の原稿読み取り部を通過する原稿の画像を読み取る原稿画像読み取り手段（0404）と、
原稿を前記原稿読み取り部に搬送する原稿搬送手段と、
前記原稿搬送手段によって搬送された原稿の搬送方向の長さを検知する原稿長検知手段と、
前記原稿長さ検知手段によって検知された原稿の搬送方向の長さから原稿サイズを特定する原稿サイズ特定手段と、
前記データ入力手段又は前記原稿画像読み取り手段から入力された画像データを用紙に印刷する印刷手段(206)と、
前記用紙を格納する用紙格納手段を備え、
ユーザーからの指示により操作部(0106、0107)から受け付けた機能設定が、所定の条件を満たしているか否かを判別する条件判別手段(S0602、S0902)と、
前記判別手段の判別結果に応じて原稿画像の読み取り処理方法を切り替える画像読み取り処理変更手段と
を有する事を特徴とする画像処理装置。
【請求項２】
前記原稿格納手段に設置した用紙サイズ情報を取得する用紙サイズ取得手段と、
前記用紙サイズ取得手段により得た用紙サイズから、前記印刷手段により読み取り画像データを出力するために必要な読み取り画像サイズを算出する事が出来る事を特徴とする請求項１に記載の画像形成装置。
【請求項３】
前記読み取り画像サイズ算出手段により算出した画像サイズと、前記原稿長検知手段又は前記原稿サイズ特定手段により取得した画像サイズを比較する画像サイズ比較手段(S0906)と、
ユーザーからの指示により操作部(0106、0107)から受け付けた機能設定の情報から、前記原稿画像読み取り手段において読み取られる際の原稿の表裏における画像向きが異なるか否かを判定する原稿画像向き判定手段を有し、
前記画像サイズ比較手段と前記原稿画像向き判定手段の結果に応じて出力画像位置を調整することを特徴とする請求項１に記載の画像形成装置。
【請求項４】
ユーザーからの指示を伝える操作部(0106、0107)と、
所定の原稿読み取り部を通過する原稿の画像を読み取る原稿画像読み取り手段（0404）と、
原稿を前記原稿読み取り部に搬送する原稿搬送手段と
を備える原稿読取り装置の制御方法であって、
前記原稿搬送手段によって搬送された原稿の搬送方向の長さを検知する原稿長検知工程と、
前記原稿長さ検知工程によって検知された原稿の搬送方向の長さから原稿サイズを特定する原稿サイズ特定工程と、
前記データ入力手段又は前記原稿画像読み取り手段から入力された画像データを用紙に印刷する印刷工程(206)と、
前記用紙を格納する用紙格納工程を備え、
ユーザーからの指示により操作部(0106、0107)から受け付けた機能設定が、所定の条件を満たしているか否かを判別する条件判別工程(S0602、S0902)と、
前記判別手段の判別結果に応じて原稿画像の読み取り処理方法を切り替える画像読み取り処理変更工程と
を有する事を特徴とする画像処理装置の制御方法。
【請求項５】
請求項４に記載の画像処理装置の制御方法をコンピュータに実行させるためのプログラム。
【発明の詳細な説明】
【技術分野】
【０００１】
本発明は、搬送される原稿の両面画像を読み取り可能な画像形成装置、画像形成装置の制御方法、画像形成システムに関する。特に、原稿の両面画像を読み取る手段を備えた画像形成装置、画像形成装置の制御方法、画像形成システムにおいて印刷時の画像印刷位置のずれ防止方法、およびプログラムに関する。
【背景技術】
【０００２】
デジタル複写機やプリンタなどの画像形成装置は、原稿から読み取った画像を生成するスキャナ部と読み取った画像を印刷用紙にプリントするプリンタ部から構成され、スキャナ部で読み取った原稿画像を印刷用紙にプリントするコピー機能を備えている。また、デジタル複写機は、前記コピー機能、スキャナ部で読み取った原稿画像を生成するスキャン機能、プリンタ部によって画像を印刷用紙にプリントするプリント機能、スキャナ部で読み取った原稿画像を他の装置に送信する送信機能などを有している。
【０００３】
一般的に、このようなデジタル複写機およびデジタル複合機が持つスキャナ部は、原稿を積載させて、これらの原稿を一枚ずつ自動的に給送して画像を読み取る自動原稿給送装置（ADF：Auto Document Feeder）を備えている。図１は前記ADFを備えるスキャナ部の一例を示した模式図である。スキャナ部0100は、原稿トレイ0103上に積載された原稿0105を給送し、固定された原稿画像読み取りのための光学系の上を通過させることで原稿読み取りが行われる。
【０００４】
このようなスキャナ部を用いた原稿画像の読み取りにおいて、原稿画像の読み取りサイズを光学的な機構を用いて切り替えることが一般的に行われており、例えば、光学系の上を通過させる際の原稿搬送速度を解像度や倍率に応じて変化させている。この時、原稿画像の読み取りサイズを決定するために、原稿読み取りが始まる前に原稿サイズを特定しておくことが求められる。
【０００５】
そこで、原稿トレイ0103上に設置された原稿積載ガイド0104の幅を検知するセンサを設け、事前に原稿幅（図１の矢印0101で示す方向の長さであり、以後この矢印が示す方向を主走査方向と呼称する）を特定する構成が実現されている。さらに、原稿トレイ0103上にセンサを設け、原稿の長さ（図１の矢印0102で示す方向の長さであり、以後この矢印が示す方向を副走査方向と呼称する）を特定する構成も実現されている。
【０００６】
また、従来から、スキャナの小型化および少コスト化に対して、原稿サイズを検知するための部品点数を最小限に抑えることが求められている。そのため、前述のように原稿トレイ上に原稿サイズを検知するためのセンサが設けられず、原稿搬送経路上に設けられた原稿の先端および後端を検知するセンサによって、副走査方向の長さのみを特定する構成が考えられる（特許文献１参照）。この時、前記の原稿搬送経路上に設けられたセンサで特定した原稿の副走査方向の長さを元に、原稿の主走査方向も特定することも提案されている（特許文献２参照）。
【先行技術文献】
【特許文献】
【０００７】
【特許文献１】特開平4-258081号公報
【特許文献２】特開平6-291947号公報
【発明の概要】
【発明が解決しようとする課題】
【０００８】
しかしながら、特許文献１・特許文献２では事前に原稿サイズを特定することが出来ないため、原稿画像の読み取り終了後に原稿画像の読み取り用メモリサイズの変更を行う。そのため、事前に原稿画像の読み取りサイズが分かった状態での原稿画像読み込みと比べてスキャンの処理速度が低下する。また、従来の画像形成装置では、原稿の画像サイズ検知センサが搭載されていないために正確な原稿画像サイズを自動で検知できない場合には、次の様な原稿画像読み取り動作を行う画像形成装置が一般的である。自動画像サイズ検知が出来ない場合は、ユーザーの指定した原稿サイズや給紙画像サイズを基準として事前に読み取り画像サイズを決定してから、原稿画像を読み込む。従って、特許文献１に記載されているような原稿画像の読み取り開始後に画像用のメモリサイズの変更を行う画像読み取り動作は、ユーザーが意図してスキャン動作を変更するように機能を設定した場合にのみ動作する。
【０００９】
ユーザーがスキャン動作を変更させる必要がある事を判断することが可能なジョブであれば問題はない。しかし、原稿の種類によっては、実際の原稿画像サイズとは異なる固定の画像サイズで原稿画像の読み取りを行った場合に、ユーザーが意図した読み取り画像とは異なった画像でスキャンしてしまうおそれがある。画像形成装置において、スキャン時に原稿画像の読み取り基準位置など、どのように原稿画像が読み込まれるかは、画像形成装置ごとに異なるため、ユーザーが事前に読み込まれる原稿画像の位置や範囲を把握することは困難である。また、原稿画像の表裏で読み込み画像向きが異なっていると、出力画像位置において、両面出力時の表裏や片面印刷時の前後のページで画像位置にずれが生じるという問題もある。
【課題を解決するための手段】
【００１０】
ユーザーからの指示を伝える操作部(0106、0107)と、
画像データを入力する画像データ入力手段(0102、0105)と、
所定の原稿読み取り部を通過する原稿の画像を読み取る原稿画像読み取り手段（0404）と、
原稿を前記原稿読み取り部に搬送する原稿搬送手段と、
前記原稿搬送手段によって搬送された原稿の搬送方向の長さを検知する原稿長さ検知手段と、
前記原稿長さ検知手段によって検知された原稿の搬送方向の長さから原稿サイズを特定する原稿サイズ特定手段と、
前記データ入力手段又は前記原稿画像読み取り手段から入力された画像データを用紙に印刷する印刷手段(206)を備え、
ユーザーからの指示により操作部(0106、0107)から受け付けた機能設定が、所定の条件を満たしているか否かを判別する条件判別手段(S0602、S0902)と、
前記判別手段の判別結果に応じて原稿画像の読み取り処理方法を切り替える画像読み取り処理変更手段と
を有する事を特徴とする画像処理装置。
【発明の効果】
【００１１】
本発明によれば、読み取る原稿画像のサイズを自動で検知することのできないスキャナ部を備える画像形成装置においても、ユーザーが意図して設定をしなくても自動で正しい原稿の画像サイズを使用した画像形成が可能となる。更に、正しい原稿の画像サイズを使用することにより、原稿における読み取り画像位置のずれを防止することが可能となる。
【図面の簡単な説明】
【００１２】
【図１】ADFを備えるスキャナの一例を示す模式図である。
【図２】画像処理装置の全体構成を示す図である。
【図３】画像処理装置のシステムブロック図である。
【図４】ADFを備えるスキャナの構成を説明する断面図の一例である。
【図５】スキャナの原稿搬送パスを説明する図である。
【図６】実施例１においてCPU0301で実行されるプログラムのフローチャートである。
【図７】両面原稿を原稿よりも大きなサイズで読取り両面出力した出力物の一例である。
【図８】出力用紙サイズ基準と本提案方法で画像を読取った場合の出力物の一例である。
【図９】実施例２においてCPU0301で実行されるプログラムのフローチャートである。
【図１０】実施例２において出力される印刷物の一例である。
【発明を実施するための形態】
【００１３】
以下、本発明を実施するための最良の形態について図面を用いて説明する。
【００１４】
＜システム概要＞
図２は、本発明の実施形態を示す画像処理装置の一例として、画像形成装置（MFP :Multi-Function Peripheral）の全体構成を示す図である。
【００１５】
以下、それぞれの構成要素について説明する。
【００１６】
図２において、コントローラ0201は、画像形成装置の制御を行い、図3に示すハードウエア構成を有している。
【００１７】
スキャナエンジン0202は、コントローラ0201によって制御されている。レーザービームプリンタエンジン0203は、コントローラ0201によって制御されている。また、レーザービームプリンタエンジン0203はフィニッシャ0204に接続されており、同プリンタエンジンから出力された複数の記録媒体（例えば、紙）をまとめてステイプル（ホッチキス）処理することが可能となっている。
【００１８】
フィニッシャ0204は、コントローラ201によって制御されている。ネットワーク（イーサーネット）インターフェイス0205は、コントローラ0201に対して同インターフェイスを通した双方向通信を提供しており、ネットワーク越しにパソコン0207との接続が可能となっている。
【００１９】
操作部0206はユーザインターフェイスであり、LCDディスプレイとキーボードから構成されており、コントローラ0201からの情報表示を行うとともにユーザーからの指示をコントローラ0201に伝える。また、Network(Ethernet(登録商標), TCP/IP), のどのインターフェイスからでも、全ての機能を使用可能である。
【００２０】
図３は、図２に示す本実施形態のコントローラ0201のハードウエア構成を示すシステムブロック図である。図３のシステムは、ネットワーク0313に接続されており、CPU0301と、バス0302と、HDD0303と、プリンタ0304と、スキャナ0305と、液晶ディスプレイ（操作部）0306と、キーボード（操作部）0307と、ネットワークI／F0308と、RAM0309と、ROM0310と、画像処理部0311と、フィニッシャ0312とを有す。
【００２１】
以下、それぞれの構成要素について説明する。コントローラ0201の内部では、CPU0301は、ROM0310に格納されたプログラムを、RAM0309にロードすることによって画像形成装置全体の動作を制御する。また、CPU0301は、バス0302を介して画像形成装置内の各構成要素である液晶ディスプレイ（操作部）0306及び、キーボード（操作部）0307と、RAM0309と、ROM0310と通信を行なう。
【００２２】
HDD0303は、ハードディスクを含むハードディスクドライブであり、入力された各種情報を格納する。印刷装置であるプリンタ0304は、図２に示すプリンタ0203に対応するものであり、入力された画像データに基づく画像を、用紙上にプリントする。
【００２３】
読取装置であるスキャナ0305は、図２に示すスキャナ0202に対応するものであり、ユーザーが原稿台にセットした原稿上の画像をカラー画像として読み取り、これによって得た画像データをHDD0303、RAM0309等に蓄積する。また、スキャナ0305は、原稿給送装置を含み、原稿給送装置にセットされた複数枚の原稿を順次原稿台上に給送し、読み取ることも可能である。
【００２４】
液晶ディスプレイ（操作部）0306は、ユーザーに通知すべき各種情報を表示する表示部であり、図２に示す操作部0206を構成するものである。また、液晶ディスプレイ（操作部）0306は、液晶上にタッチパネルシートが貼られており、システムの操作画面およびソフトキーを表示するとともに、表示してあるキーが押されるとその位置情報をCPU0301に伝える。
【００２５】
キーボード（操作部）0307は、ユーザーが指示を行なうためのキーであり、図２に示す操作部0206を構成するものである。ネットワークI／F0308は、画像形成装置をネットワーク0313に接続し、ネットワーク上の外部装置からのデータの受信、ネットワーク上の外部装置へのデータの送信を制御する。
【００２６】
画像処理部0311は、RAM0309に蓄積された画像データに対して、変倍、色変換などの画像処理を行なう。
【００２７】
図４は、図３に示したスキャナ0305の構成を説明する断面図である。図４において、本実施形態で使用するスキャナ0305は、一度の原稿搬送で原稿の表面又は裏面の片方の画像を読み取ることが可能な、片面読み取りに対応したスキャナである。図４のスキャナは、エンプティセンサ0401と、タイミングセンサ0402と、レジセンサ0403と、リードセンサ0404と、ステイセンサ0405と、反転センサ0406とを有する。
【００２８】
図５は、図４に示したスキャナ0305の両面原稿の搬送パスを説明する図である。本例は、特に本実施形態に示すスキャナに関わる部分を概略的に示した例である。なお、図中における矢印は、原稿搬送方向を示す。図５（a）から図５（h）はスキャナ0305において原稿が給紙又は排紙までに通る原稿搬送経路（原稿搬送パス）を表す。図５（a）と図５（b）は、原稿の1面目（表面）読取りのパスを示す。図５（c）において、原稿はローラ0501を使用してスイッチバックする。これにより、搬送方向が逆転して、2面目（裏面）読取りのパスへと移行する。図５（d）と図５（e）は、原稿の2面目（裏面）読取りのパスを示す。図５（f）において、原稿はローラ0502を使用してスイッチバックする。これにより、ページ順反転パスへと移行する。図５（g）と図５（h）は、ページ順反転パスへと移行した後、原稿が排紙されるまでに通るパスを示す。
【００２９】
［実施例1］
本実施例1では、原稿のサイズを検知するためのセンサが少なく、原稿の長さしか検出できないADFを備えたスキャナ0305を使用する画像形成装置において、両面原稿をコピーする際の動作について述べる。
【００３０】
本実施例では、図４・５で示したように一度の原稿搬送では片面の画像のみを読み取ることが可能なスキャナを有した画像形成装置における動作を例に説明する。また、前記画像形成装置は、自動用紙選択機能(APS：Automatic Paper Search)は有しておらず、必ず出力用紙サイズをユーザーに選択させるものとする。
【００３１】
当該画像形成装置において考えられる、両面原稿をスキャナ0305に備えられているADFから読取った際の原稿の表裏における読み取り画像位置のずれについて、図６を用いて説明する。図６は、各種両面原稿を当該画像形成装置のスキャナ0305のADFから読み取り、原稿サイズよりも大きなサイズの出力用紙に等倍で両面出力した際の出力物の例を示している。
【００３２】
図６（a）はランドスケープの左右開き原稿をスキャナ0305のADFから読み込み、左右開き印刷と上下開き印刷をした際の各出力画像の例を示している。図６（a）記載の点線0601は出力用紙サイズに対して必要な読取り画像サイズを示している。また、図６（a）記載の枠線0602・0603は出力物における実際の原稿画像の位置を示している。前記と同様に、図６（b）はランドスケープの上下開き原稿を使用した場合の、図６（c）はポートレイトの左右開き原稿を使用した場合の、図６（d）はポートレイトの上下開き原稿を使用した場合の各出力画像の例を示している。
【００３３】
図６（a）と（d）が示すように、ADFで原稿画像を読み込んだ際に、原稿の表裏で読み込み画像向きが同じである場合は左右開き出力・上下開き出力共に画像の同じ方向に余白が付いているため、画像の印字位置がずれることはない。一方、図６（b）と（c）が示すように、原稿の表裏で読み込み画像向きが異なっていた場合は、左右開き出力・上下開き出力共に画像の異なる方向に余白が付いてしまい、原稿の表裏で画像の印字位置にずれが生じてしまう。
【００３４】
＜設定機能によりスキャン処理を替えて原稿の表裏の画像切り取り位置のずれ防止方法＞
設定されている機能によってスキャン処理を切り替えて、両面原稿における表裏の画像切り取り位置のずれを防止する方法について、図７・図８を用いて説明する。
【００３５】
図７では、ネットワーク0205を介してパソコン0207と接続されている図２に示す構成をしている画像形成装置において、ジョブを実行する時の画像形成装置における設定と処理の流れを示している。
【００３６】
以下、各処理部での動作について、その詳細を説明する。
【００３７】
図７のステップS0701において、CPU0301は、操作部0206又はパソコン0107からユーザーの指示した応用機能の設定を受け付ける。
【００３８】
ステップS0702において、CPU0301は、ステップS0701において設定された応用機能に原稿が両面原稿であることを示す設定がされており、かつ原稿のサイズが指定されておらず、かつスキャナ0305のADF上に原稿がセットされているか否かを判定する。判定結果が前記条件を満たしていなかった場合はステップS0703に進み、前記条件を満たしていた場合はステップS0704に進む。
【００３９】
ステップS0703において、CPU0301は、ユーザーにより指定された出力用紙サイズとステップS0701において設定された応用機能を考慮した上で、出力に必要な原稿のスキャンサイズを算出し、出力に必要な画像サイズで原稿画像の読み取りを行う。
【００４０】
ステップS0704において、CPU0301は、当該画像形成装置において読み取り可能な最大サイズで原稿画像の読み取りを行う。ステップS0705において、CPU0301は、ステップS0704において設定した読み取り可能な最大サイズの副走査サイズを、原稿搬送終了後に判明した原稿の実際の副走査サイズを用いて変更する。
【００４１】
ステップS0706において、CPU0301は、プリンタ0304によるプリント処理を実行する。
【００４２】
図７を用いて説明した両面原稿における表裏の画像切り取り位置のずれを防止する方法では、ステップ0702でスキャン処理を切り替えるための条件として、両面原稿である事かつスキャナ0305のADFからの読み込みであること、かつ原稿サイズが指定されていない事を設定した。しかし、ステップ0702での条件に当てはまり、ステップ0704記載のスキャン処理をした場合は、ステップ0705においてサイズの変更を行っているために、ステップ0703記載のスキャン処理の場合と比べ画像の読取りパフォーマンスが多少低下する。このことを考慮して、読取りパフォーマンスをなるべく低下させないようにするために、ステップ0702で設定する条件を増やして、なるべくステップ0703記載のスキャン処理を行わせるようにしてもよい。
【００４３】
また、前述したステップ0705の処理において、副走査サイズのみ原稿搬送終了後に判明した原稿の実際の原稿画像サイズを用いて変更すると説明したが、主走査サイズも判明した原稿の副走査サイズから特定した主走査サイズを用いて変更する事としてもよい。
【００４４】
図８は、ランドスケープの上下開き原稿をスキャナ0305のADFから読み込み、25％変倍を設定して、かつ左右開き印刷をする場合のスキャナ0305のADFにおける原稿画像の読み取り範囲と、本提案手法を使用なかった場合の出力画像と本提案手法を使用した場合の出力画像を示している。
【００４５】
図８（a）記載の点線0801は、本提案手法を使用しなかった場合に読み取る、出力用紙サイズに対して必要な読み取り画像サイズを示している。図８（b）記載の点線0803は、本提案手法を使用した場合の読み取り画像サイズを示している。図８（a）・（b）記載の枠線0802・0804は出力物における実際の原稿画像の位置を示している。また、図８（c）・（d）記載の枠線0805・0807は出力物における読み取り画像の位置を、点線0806・0808は出力物における実際の原稿画像の位置を示している。
【００４６】
［実施例2］
実施例1の図７・８では、原稿サイズが出力に必要な画像サイズよりも小さい場合の例について記述した。本実施例2では、図９・１０を用いて原稿サイズが出力に必要な画像サイズよりも大きい場合の実施例について説明する。
【００４７】
図９では、図２に示す構成を有する画像形成装置において、ジョブを実行する時の画像形成装置における設定と処理の流れを示している。
【００４８】
以下、各処理部での動作について、その詳細を説明する。
【００４９】
図９のステップS0901において、CPU0301は、操作部0206又はパソコン0107からユーザーの指示した応用機能の設定を受け付ける。ステップS0902において、CPU0301は、ステップS0901において設定された応用機能に原稿が両面原稿であることを示す設定がされており、かつ原稿のサイズが指定されておらず、かつスキャナ0305のADF上に原稿がセットされているか否かを判定する。判定結果が前記条件を満たしていなかった場合はステップS0903に進み、前記条件を満たしていた場合はステップS0904に進む。
【００５０】
ステップS0903において、CPU0301は、ユーザーにより指定された出力用紙サイズとステップS0901において設定された応用機能を考慮した上で、出力に必要な原稿のスキャンサイズを算出し、出力に必要な画像サイズで原稿画像の読み取りを行う。
【００５１】
ステップS0904において、CPU0301は、当該画像形成装置においてサポートしている用紙サイズの中で最大サイズでもある、当該画像形成装置において読み取り可能な最大サイズで原稿画像の読み取りを行う。
【００５２】
ステップS0905において、CPU0301は、ステップS0904において設定した読み取り可能な最大サイズの副走査サイズを、原稿搬送終了後に判明した原稿の実際の副走査サイズを用いて変更する。
【００５３】
ステップS0906において、CPU0301は、ステップS0905において判明した原稿サイズが出力に使用する画像サイズよりも大きいか否かを判断する。判定の結果、原稿サイズが出力に使用する画像サイズよりも大きかった場合はステップ0907へ進み、小さかった場合はステップ0910へ進む。
【００５４】
ステップS0907において、CPU0301は、ステップ0901において設定した応用機能の両面原稿の情報から、スキャナ0305のADFから原稿を読み込んだ際の原稿の表裏における画像向きが異なるか否かを判断する。判定の結果、読み込み時の画像向きが表裏において異なる場合はステップ0908へ進み、表裏ともに画像向きが同じである場合はステップ0910へ進む。
【００５５】
ステップS0908において、CPU0301は、読み込んだ原稿サイズと出力に使用する画像サイズの差分から、出力画像の切り取り基準位置が表裏で同じ場所にするために適切な移動量を算出する。
【００５６】
ステップS0909において、CPU0301は、ステップS0908において算出した移動量を付加する。ステップS0910において、CPU0301は、プリンタ0304によるプリント処理を実行する。
【００５７】
図１０は、原稿サイズが出力用紙サイズよりも大きい場合に、原稿画像の一部が切り取られて出力される画像の一例である。図１０（a）は、ランドスケープの上下開き原稿を、図１０（b）はポートレイトの左右開き原稿をスキャナ0305のADFから読み込んだ場合に、本提案手法を使用なかった場合の出力画像と本提案手法を使用した場合の出力画像を示している。また、図１０（a）の枠線1001は、原稿における画像の切り出し範囲を示すものである。
【符号の説明】
【００５８】
コントローラ0201は、画像形成装置の制御を行い、図3に示すハードウエア構成を有している。
【００５９】
0201  コントローラ
0202  スキャナエンジン
0203  レーザービームプリンタエンジン
【図１】
2015023527.tif 000003
【図２】
2015023527.tif 000004
【図３】
2015023527.tif 000005
【図４】
2015023527.tif 000006
【図５】
2015023527.tif 000007
【図６】
2015023527.tif 000008
【図７】
2015023527.tif 000009
【図８】
2015023527.tif 000010
【図９】
2015023527.tif 000011
【図１０】
2015023527.tif 000012